(57)【要約】【課題】地下空間の換気機能と照明機能との連携を可能にする照明器具を提供する。【解決手段】照明器具１は、地下空間２の上方に位置させて地上に配置され、内部に空洞部３を有する筐体４と、空洞部３に配置される照明灯具５とを備える。筐体４には、空洞部３と筐体４の外部とを連通する通気部１８が形成されている。また、筐体４には、空洞部３と地下空間２との間で空気が流通する開口部１６が形成されている。【選択図】図１
2020202151.tif 000002
【特許請求の範囲】
【請求項１】
地下空間の上方に位置させて地上に配置され、内部に空洞部を有する筐体と、
前記空洞部に配置される照明灯具とを備え、
前記筐体には、前記空洞部と前記筐体の外部とを連通する通気部と、前記空洞部と前記地下空間との間で空気が流通する開口部とが形成されている、照明器具。
【請求項２】
前記照明灯具は、前記筐体の上部に配置される、請求項１に記載の照明器具。
【請求項３】
前記筐体は、
前記通気部及び前記開口部が形成される筐体本体と、
前記照明灯具を覆うように前記筐体本体に装着される照明カバーとを有する、請求項１又は２に記載の照明器具。
【請求項４】
少なくとも一部が地中に埋設され、地上に露出する部分が前記筐体を支持する照明用ポールを備え、
前記照明用ポールは、前記筐体の前記空洞部と前記地下空間とを連通する連通空間部を有する、請求項１から３のいずれか一項に記載の照明器具。
【発明の詳細な説明】
【技術分野】
【０００１】
本開示は、照明器具に関する。
【背景技術】
【０００２】
照明器具として、庭園灯（ガーデンライト）と称される照明器具が広く利用されている（例えば、特許文献１）。
【０００３】
庭園灯として利用される照明器具は、例えば、内部に空洞部を有する筐体と、空洞部に配置されるＬＥＤ光源等の照明灯具と、筐体を支持する照明用ポールとを備える。
【先行技術文献】
【特許文献】
【０００４】
【特許文献１】特開２００４−１１９０９４号公報
【発明の概要】
【発明が解決しようとする課題】
【０００５】
庭園灯として利用される照明器具は、地下空間（地下ピット）の換気のためのピット換気パイプ及びピット換気カバー等と併設されることがある。しかしながら、照明器具が照明機能だけでなく地下空間の換気機能も有するのであれば、ピット換気パイプ及びピット換気カバー等の配置を省略することが可能である。
【０００６】
本開示は、このような従来技術の有する課題に鑑みてなされたものである。そして、本開示の目的は、地下空間の換気機能と照明機能との連携を可能にする照明器具を提供することにある。
【課題を解決するための手段】
【０００７】
上記課題を解決するために、本開示の態様に係る照明器具は、地下空間の上方に位置させて地上に配置され、内部に空洞部を有する筐体と、空洞部に配置される照明灯具とを備える。筐体には、空洞部と筐体の外部とを連通する通気部と、空洞部と地下空間との間で空気が流通する開口部とが形成されている。
【発明の効果】
【０００８】
本開示によれば、地下空間の換気機能と照明機能との連携を可能にする照明器具を提供することができる。
【図面の簡単な説明】
【０００９】
【図１】実施形態に係る照明器具の概略的な一部破断斜視図である。
【図２】実施形態に係る照明器具の概略的な側断面図である。
【図３】照明器具と地下空間との位置関係を模式的に示す説明図である。
【発明を実施するための形態】
【００１０】
以下、本実施形態を図面と共に詳述する。
【００１１】
図１から図３に示す照明器具１は、庭園灯（ガーテンライト）とも称されるものである。
【００１２】
図１及び図２に示すように、照明器具１は、地下空間２（図３参照）の上方に位置させて地上に配置され、内部に空洞部３を有する筐体４と、空洞部３に配置される照明灯具５とを備える。また、照明器具１は、少なくとも一部が地中に埋設され、地上に露出する部分が筐体４を支持する照明用ポール６を備える。
【００１３】
地下空間２は、地下ピットとも称されるものであり、この地下空間２には、一般的に、給水管及び排水管等の配管、及び電力供給のための電気配線等が敷設される。また、地下空間２は、前述の配管及び電気配線等のメンテナンス作業を行うために、いわゆるマンション等の集合住宅に代表される比較的大規模な建築物の地下部分に形成される。
【００１４】
地下空間２は、一般的には、コンクリート製等の構造物により区画形成されており、その地下空間２の温度は、地上の温度（外気温）よりも低い。
【００１５】
筐体４は、筐体本体１１と、照明灯具５を覆うように筐体本体１１に装着される照明カバー１２とを有して構成されている。
【００１６】
筐体本体１１は、筐体本体１１の下部を構成する下部筒部１３と、筐体本体１１の上部を構成するものであって、下部筒部１３よりも内径及び外径が大きい上部筒部１４とを有する。また、筐体本体１１は、下部筒部１３の上端と上部筒部１４の下端との間に形成される環状のフランジ部１５を有する。
【００１７】
本実施形態では、下部筒部１３及び上部筒部１４が円筒状に形成され、フランジ部１５が円環状に形成されている。これに限定はされず、例えば、下部筒部１３及び上部筒部１４が角筒状に形成され、フランジ部１５が角環状に形成されてもよい。
【００１８】
下部筒部１３の下端に開口部分が形成されており、この下部筒部１３の下端の開口部分が、地下空間２の換気のために筐体４の内部空間である空洞部３と地下空間２との間で空気が流通する開口部１６を構成している。また、図示はしないが、下部筒部１３の下端部における内周には、照明用ポール６に対する固定のために固定具（抜け止め金具）が装着される。
【００１９】
開口部１６を構成する下部筒部１３の開口部分の内径は、例えば、５０ｍｍ〜２５０ｍｍ程度である。開口部１６を構成する下部筒部１３の開口部分の内径は、地下空間２の換気に必要な換気性能に応じて適宜に設定することが可能である。
【００２０】
フランジ部１５には、厚さ方向（図２における上下方向）に貫通させて多数の孔１７が形成されており、これらの多数の孔１７が、筐体４の内部空間である空洞部３と筐体４の外部とを連通する通気部１８を構成している。なお、フランジ部１５は、後述する照明カバー１２により上方から覆われるため、通気部１８（孔１７）から空洞部３へは、降雨等による水分は侵入し難い。
【００２１】
通気部１８を構成するフランジ部１５の孔１７の内径は、例えば、５ｍｍ〜１０ｍｍ程度である。通気部１８（孔１７）の位置、数量及び内径等は、地下空間２の換気に必要な換気性能に応じて適宜に設定することが可能である。
【００２２】
本実施形態では、フランジ部１５は、多数の孔１７を有する多孔板（パンチング板）により構成されている。フランジ部１５は、多孔板により構成されるものに限定はされず、例えば、網（メッシュ）により構成されるものであってもよい。
【００２３】
上部筒部１４の外周には、照明カバー１２に対する固定のためにスクリュー（雄ねじ部）２１が形成されている。筐体本体１１と照明カバー１２との固定は、筐体本体１１側のスクリュー２１と後述する照明カバー１２側のスクリュー２４との螺合によるものに限定はされず、種々の固定方法から適宜に選択することが可能である。
【００２４】
筐体本体１１は、例えば、耐食性を有するステンレス材料により形成される。筐体本体１１は、ステンレス材料に限定はされず、表面に耐食用又は装飾用の表面処理が施された金属材料により形成されてもよく、樹脂材料により形成されてもよい。
【００２５】
照明カバー１２は、照明カバー１２の本体部分を構成する筒状の筒状部２２と、筒状部２２の上端における開口を閉塞する蓋部２３とを有する。
【００２６】
本実施形態では、筒状部２２が円筒状に形成され、蓋部２３が円板状に形成されている。これに限定はされず、例えば、筒状部２２が角筒状に形成され、蓋部２３が角板状に形成されてもよい。
【００２７】
また、本実施形態では、照明カバー１２が筒状（又は柱状）の外形を有しているが、これに限定はされず、例えば、照明カバー１２が半球状（ドーム状）の外形を有していてもよい。
【００２８】
筒状部２２の下端における内周には、筐体本体１１（上部筒部１４）に対する固定のためにスクリュー（雌ねじ部）２４が形成されている。前述したが、筐体本体１１と照明カバー１２との固定は、筐体本体１１側のスクリュー２１と照明カバー１２側のスクリュー２４との螺合によるものに限定はされず、種々の固定方法から適宜に選択することが可能である。
【００２９】
照明カバー１２は、例えば、ガラス材料により形成される。照明カバー１２は、ガラス材料に限定はされず、光透過性を有する樹脂材料により構成されてもよい。
【００３０】
筐体本体１１と照明カバー１２とで、筐体４の内部空間である空洞部３が区画形成され、この空洞部３にソケット２５及び取付ブラケット２６が配置され、さらに、ソケット２５に電気配線２７（図３参照）が接続されている。そして、空洞部３に配置されるソケット２５に、照明灯具５が装着されている。
【００３１】
照明灯具５は、例えば、ＬＥＤ光源により構成される。照明灯具５は、ＬＥＤ光源に限定はされず、ＬＥＤ光源以外の光源（例えば、白熱灯光源、蛍光灯光源等）により構成されてもよい。
【００３２】
照明用ポール６は、いわゆるピット換気パイプに相当し得るものであり、ほぼ全体が筒状に形成されている。本実施形態では、照明用ポール６は、円筒状に形成されている。照明用ポール６は、円筒状に限定はされず、例えば、角筒状に形成されてもよい。
【００３３】
照明用ポール６の上端に開口部分が形成されており、この照明用ポール６の上端の開口部分が筐体４の空洞部３に開口している。また、照明用ポール６の下端にも開口部分が形成されており、この照明用ポール６の下端の開口部分が地下空間２に開口している。このため、筒状の照明用ポール６の内方に、筐体４の空洞部３と地下空間２とを連通する連通空間部２８が形成されている。
【００３４】
連通空間部２８を構成する筒状の照明用ポール６の内径は、地下空間２の換気に必要な換気性能に応じて適宜に設定することが可能である。
【００３５】
照明用ポール６は、筐体本体１１と同様で、例えば、耐食性を有するステンレス材料により形成される。照明用ポール６は、筐体本体１１と同様で、ステンレス材料に限定はされず、表面に耐食用又は装飾用の表面処理が施された金属材料により形成されてもよく、樹脂材料により形成されてもよい。
【００３６】
なお、照明灯具５に電力を供給する電気配線２７は、図３に示すように、照明用ポール６を貫通させて照明用ポール６の内部から外部へと配線してもよく、図示はしないが、照明用ポール６を通過させて地下空間２へと配線してもよい。
【００３７】
また、筐体４の外部と地下空間２との間の換気は、地上と地下空間２との圧力差等を利用する自然換気によるものであってもよく、換気ファン等（図示せず）を利用する強制換気によるものであってもよい。地下空間２の強制換気を行うような場合には、換気ファン等を、地下空間２に配置してもよく、照明用ポール６の内部に配置してもよい。
【００３８】
以下に、本実施形態による作用効果を説明する。
【００３９】
（１）照明器具１は、地下空間２の上方に位置させて地上に配置され、内部に空洞部３を有する筐体４と、空洞部３に配置される照明灯具５とを備える。筐体４には、空洞部３と筐体４の外部とを連通する通気部１８と、空洞部３と地下空間２との間で空気が流通する開口部１６とが形成されている。
【００４０】
このような照明器具１によれば、地下空間２の換気機能と照明機能との連携が可能になり、ピット換気パイプ及びピット換気カバー等の配置を省略することが可能になる。
【００４１】
また、通気部１８及び開口部１６を介して照明器具１の空洞部３に流入及び流出する空気の流れによって、照明器具１の空洞部３に配置される照明灯具５を冷却することも可能になる。
【００４２】
（２）照明灯具５は、筐体４の上部に配置される。
【００４３】
照明灯具５が筐体４の上部に配置されることにより、照明灯具５が配置される空洞部３も筐体４の上部に配置されることになり、筐体４の内部のほぼ全体に空気を流通させることが可能になる。
【００４４】
（３）筐体４は、通気部１８及び開口部１６が形成される筐体本体１１と、照明灯具５を覆うように筐体本体１１に装着される照明カバー１２とを有する。
【００４５】
このような照明器具１の筐体４によれば、地下空間２の換気機能と照明機能との連携が可能になる。したがって、照明器具１の筐体４が照明機能だけでなく地下空間２の換気機能も有するため、特にピット換気カバーの配置を省略することが可能である。
【００４６】
（４）照明器具１は、少なくとも一部が地中に埋設され、地上に露出する部分が筐体４を支持する照明用ポール６を備える。照明用ポール６は、筐体４の空洞部３と地下空間２とを連通する連通空間部２８を有する。
【００４７】
このような照明器具１の照明用ポール６によれば、地下空間２の換気機能と照明機能との連携が可能になり、特にピット換気パイプの配置を省略することが可能になる。
【００４８】
なお、上述の実施形態は本開示の一例である。このため、本開示は、上述の実施形態に限定されることはなく、この実施形態以外であっても、本開示に係る技術的思想を逸脱しない範囲であれば、設計等に応じて種々の変更が可能であることは勿論である。
【符号の説明】
【００４９】
１  照明器具
２  地下空間
３  空洞部
４  筐体
５  照明灯具
６  照明用ポール
１１  筐体本体
１２  照明カバー
１６  開口部
１８  通気部
２８  連通空間部
【図１】
2020202151.tif 000003
【図２】
2020202151.tif 000004
【図３】
2020202151.tif 000005